(57)【要約】【課題】従来技術と比較して、消費電力量が少なく且つ安価に製造することができる注射器の状態検知装置を実現する。【解決手段】注射器（２）に取り付け可能な検知装置（１）であって、注射器（２）の本体（２１）に接触する第１のスイッチと（１１）、注射器（２）のプランジャ（２２）に接触する第２のスイッチ（１２）と、第１のスイッチ（１１）のオンオフを示す第１のオンオフ信号と第２のスイッチ（１２）のオンオフを示す第２のオンオフ信号とを参照して、注射器（２）の状態を検知する制御部（１０）とを備えている。【選択図】図１
2018149075.tif 000002
【特許請求の範囲】
【請求項１】
注射器に取り付け可能な検知装置であって、
前記注射器の本体に接触する第１のスイッチと、前記注射器のプランジャに接触する第２のスイッチと、
前記第１のスイッチのオンオフを示す第１のオンオフ信号と前記第２のスイッチのオンオフを示す第２のオンオフ信号とを参照して、注射器の状態を検知する制御部と
を備えていることを特徴とする検知装置。
【請求項２】
前記制御部は、少なくとも前記第１のオンオフ信号を参照して、前記注射器が当該検知装置に取り付けられているか否かを判定することを特徴とする、請求項１に記載の検知装置。
【請求項３】
前記制御部は、前記第２のオンオフ信号を更に参照して、前記注射器のプランジャが前記注射器の本体に押し込まれているか否かを判定することを特徴とする、請求項２に記載の検知装置。
【請求項４】
前記制御部は、前記第１のオンオフ信号がオンである状態で、前記第２のオンオフ信号がオフからオンへの変化を含む場合に、前記注射器が注射完了状態に移行したと判定することを特徴とする、請求項１から３の何れか１項に記載の検知装置。
【請求項５】
前記検知装置の前記注射器の本体と接触する部分の内の少なくとも一部に、前記注射器の本体の少なくとも一部と嵌合する嵌合部を備えていることを特徴とする、請求項１から４の何れか１項に記載の検知装置。
【請求項６】
前記制御部は、前回の注射完了時刻を参照し、前回の注射完了から所定の注射間隔よりも短い注射間隔で前記注射器が注射完了状態に移行したと判定した場合に、報知部を介してユーザに警告を発することを特徴とする、請求項１から５の何れか１項に記載の検知装置。
【請求項７】
外部装置との通信を開始するための第３のスイッチと、外部装置と通信するための通信部とを備え、
前記制御部は、前記第３のスイッチのオンオフを示す第３のオンオフ信号がオンである状態で、通信相手がいない場合に報知部を介してユーザに警告を発することを特徴とする、請求項１から６の何れか１項に記載の検知装置。
【請求項８】
上記報知部は、発光部であることを特徴とする、請求項６または７に記載の検知装置。
【請求項９】
前記第１のスイッチまたは前記第２のスイッチの少なくとも一方は、主電源が切断されている場合に当該主電源をオン状態にするための電源スイッチとして機能することを特徴とする、請求項１から８の何れか１項に記載の検知装置。
【発明の詳細な説明】
【技術分野】
【０００１】
本発明は注射器に取り付けて注射器の状態を検知するための検知装置に関する。
【背景技術】
【０００２】
疾患の治療のために、一日に一回または数回の薬剤の注射が必要な場合がある。このような場合、適切な薬効を得るためには、注射の回数、注射のタイミング等の管理が重要である。
【０００３】
特許文献１には、インシュリンを注射するために注射ボタンが入力（プッシュ）される時に共振回路を形成する組み込みコイルを利用して、注射量を測定することができる注射器が開示されている。
【０００４】
特許文献２には、注射デバイスに取り付ける補助デバイスであって、注射デバイスの投与量窓の画像を取り込むことができる光学式文字認識（ＯＣＲ）リーダを利用して投与量窓に表示された数値を読み取ることによって、注射デバイスにダイヤル設定された薬剤の用量を検出する補助デバイスが開示されている。
【先行技術文献】
【特許文献】
【０００５】
【特許文献１】特表２０１４−５１９３９１号公報（２０１４年  ８月１４日公表）
【特許文献２】特表２０１５−５０６７７０号公報（２０１５年  ３月  ５日公表）
【発明の概要】
【発明が解決しようとする課題】
【０００６】
しかしながら、上述のような従来技術は、検知回路が複雑である。その結果、消費電力量が多いという課題を有している。また、製造コストが高いという課題を有している。
【０００７】
そこで、本発明の一態様は、従来技術と比較して、消費電力量が少なく且つ安価に製造することができる注射器の状態検知装置を実現することを目的とする。
【課題を解決するための手段】
【０００８】
上記の課題を解決するために、本発明の一態様に係る検知装置は、注射器に取り付け可能な検知装置であって、前記注射器の本体に接触する第１のスイッチと、前記注射器のプランジャに接触する第２のスイッチと、前記第１のスイッチのオンオフを示す第１のオンオフ信号と前記第２のスイッチのオンオフを示す第２のオンオフ信号とを参照して、注射器の状態を検知する制御部とを備えていることを特徴としている。
【０００９】
上記の構成によれば、２つのスイッチのオンオフ信号を参照して注射器の状態を検知することができるので、従来の技術の様に複雑な検知回路を要しない。従って、簡易な構造とすることができる。その結果、従来技術と比較して、消費電力量が少なく且つ安価に製造することができる検知装置となり得る。
【００１０】
本発明の一態様に係る検知装置は、前記制御部は、少なくとも前記第１のオンオフ信号を参照して、前記注射器が当該検知装置に取り付けられているか否かを判定する構成としてもよい。
【００１１】
上記構成によれば、少なくとも注射器の本体に接触する第１のスイッチのオンオフを示す第１のオンオフ信号を参照することによって、注射器が検知装置に取り付けられているか否かを判定することができる。
【００１２】
本発明の一態様に係る検知装置は、前記制御部は、前記第２のオンオフ信号を更に参照して、前記注射器のプランジャが前記注射器の本体に押し込まれているか否かを判定する構成としてもよい。
【００１３】
上記構成によれば、注射器のプランジャ端部に接触する第２のスイッチのオンオフを示す第２のオンオフ信号を更に参照するので、検知装置に取り付けられた注射器のプランジャが注射器の本体に押し込まれているか否かを判定することができる。
【００１４】
本発明の一態様に係る検知装置は、前記制御部は、前記第１のオンオフ信号がオンである状態で、前記第２のオンオフ信号がオフからオンへの変化を含む場合に、前記注射器が注射完了状態に移行したと判定することを特徴とする構成としてもよい。
【００１５】
上記構成によれば、第２のオンオフ信号がオフからオンへの変化を含む場合は、プランジャが注射器の本体から引き出された状態から再び押し込まれたこと検知することができる。従って、第２のオンオフ信号の変化を参照することで、注射器が注射完了状態に移行したと判定することができる。
【００１６】
本発明の一態様に係る検知装置は、前記検知装置の前記注射器の本体と接触する部分の内の少なくとも一部に、前記注射器の本体の少なくとも一部と嵌合する嵌合部を備えていることを特徴とする構成としてもよい。
【００１７】
上記構成によれば、注射器のプランジャが注射器本体に完全に押し込まれた場合に検知装置の第２のスイッチとプランジャ端部とが確実に接触するように、嵌合部を介して、検知装置と注射器とを位置合わせして取り付けることができる。その結果、第２のスイッチによって、プランジャの移動をより確実に検知することができる。
【００１８】
本発明の一態様に係る検知装置は、前記制御部は、前回の注射完了時刻を参照し、前回の注射完了から所定の注射間隔よりも短い注射間隔で前記注射器が注射完了状態に移行したと判定した場合に、報知部を介してユーザに警告を発することを特徴とする構成としてもよい。
【００１９】
上記構成によれば、前回の注射完了から所定の注射間隔よりも短い注射間隔で注射を行った場合に、ユーザに警告を発することにより、注射のタイミングを管理することができる。
【００２０】
本発明の一態様に係る検知装置は、外部装置との通信を開始するための第３のスイッチと、外部装置と通信するための通信部とを備え、
前記制御部は、前記第３のスイッチのオンオフを示す第３のオンオフ信号がオンである状態で、通信相手がいない場合に報知部を介してユーザに警告を発することを特徴とする構成としてもよい。
【００２１】
上記構成によれば、検知装置は外部装置と通信することができる。さらに、外部装置との通信が確立できない場合にはユーザに警告を発することができる。
【００２２】
本発明の一態様に係る検知装置は、上記報知部は、発光部であることを特徴とする構成としてもよい。
【００２３】
上記構成によれば、発光によってユーザに警告を発することができる。
【００２４】
本発明の一態様に係る検知装置は、前記第１のスイッチまたは前記第２のスイッチの少なくとも一方は、主電源が切断されている場合に当該主電源をオン状態にするための電源スイッチとして機能することを特徴とする構成としてもよい。
【００２５】
上記構成によれば、検知装置の主電源が切断されている場合に、第１のスイッチまたは第２のスイッチの少なくとも一方がオン状態になることによって主電源をオン状態にすることができる。
【発明の効果】
【００２６】
本発明の一態様によれば、従来の技術と比較して、消費電力量が少なく且つ製造コストが安い注射器状態検知装置となり得るという効果を奏する。
【図面の簡単な説明】
【００２７】
【図１】本発明の実施形態１に係る検知装置の概略の構成を示す図であり、（ａ）は注射器が取り付けられた検知装置の外観を示す斜視図であり、（ｂ）は（ａ）に示す検知装置の分解斜視図であり、（ｃ）は（ａ）に示す検知装置および注射器を検知装置の正面から見た正面図であり、（ｄ）は（ｃ）に示す検知装置および注射器のＡ−Ａ線矢視断面図であり、（ｅ）は（ｃ）に示す検知装置および注射器のＢ−Ｂ線矢視断面図である。
【図２】図１の（ｄ）に示した断面図において筒部接触スイッチおよびプランジャ接触スイッチの状態を説明する図であり、（ａ）は検知装置に注射器が取り付けられていない場合、（ｂ）は検知装置に注射器が取り付けられており、且つ注射器のプランジャが筒方向に延伸している場合、（ｃ）は検知装置に注射器が取り付けられており、且つ注射器のプランジャが筒部に完全に押し込まれている場合の、筒部接触スイッチおよびプランジャ接触スイッチの状態を説明している。
【図３】本発明の実施形態１に係る検知装置の要部構成を示すブロック図である。
【図４】本発明の実施形態２に係る検知装置の要部構成を示すブロック図である。
【図５】本発明の実施形態３に係る検知装置の要部構成を示すブロック図である。
【図６】本発明の実施形態１に係る検知装置の制御部の動作の一例を説明するフローチャートである。
【図７】本発明の実施形態２に係る検知装置の制御部の動作の一例を説明するフローチャートである。
【図８】本発明の実施形態３に係る検知装置の制御部の動作の一例を説明するフローチャートである。
【発明を実施するための形態】
【００２８】
〔実施形態１〕
以下、図面を参照しながら本発明の実施形態１に係る検知装置１について、詳細に説明する。
【００２９】
（１．検知装置１の要部構成）
本発明の実施形態１に係る検知装置１の要部構成を図１に基づいて説明する。図１は、本発明の実施形態１に係る検知装置１の概略の構成を示す図であり、（ａ）は注射器２が取り付けられた検知装置１の外観を示す斜視図であり、（ｂ）は（ａ）に示す検知装置１の分解斜視図であり、（ｃ）は（ａ）に示す検知装置１および注射器２を検知装置１の正面図であり、（ｄ）は（ｃ）に示す検知装置１および注射器２のＡ−Ａ線矢視断面図であり、（ｅ）は（ｃ）に示す検知装置１および注射器２のＢ−Ｂ線矢視断面図である。
【００３０】
図１に示す検知装置１には、発光部（報知部）１５および通信開始スイッチ（第３のスイッチ）１６が備えられているが、実施形態１においては、これらは必須ではない。発光部（報知部）１５については実施形態２および３において、通信開始スイッチ（第３のスイッチ）１６については実施形態３において詳細に説明する。
【００３１】
図１の（ｂ）に示すように、本発明の実施形態１に係る検知装置１は、取付け具１８を分離することができる。検知装置１は取付け具１８を備えることによって、検知装置１を注射器２に取り付けることができる。
【００３２】
（筒部接触スイッチ１１およびプランジャ接触スイッチ１２）
図１の（ｄ）に示すように、検知装置１の注射器２と接触する側の面には、２つのスイッチ１１、１２が設けられている。筒部接触スイッチ（第１のスイッチ）１１は、注射器２の筒部２１に接触し得る位置に設けられている。プランジャ接触スイッチ（第２のスイッチ）１２は、プランジャ２２が注射器２に完全に押し込まれた場合に、プランジャ２２に接触し得る位置に設けられている。より具体的に言えば、プランジャ接触スイッチ１２は、プランジャ２２の投与量調整ダイアル（プランジャ２２の最太部）２４に接触し得る位置に設けられている。
【００３３】
筒部接触スイッチ１１およびプランジャ接触スイッチ１２は、マイクロスイッチ部材がバネによって検知装置１の側面よりも外側に押し出されるように構成されている。筒部接触スイッチ１１およびプランジャ接触スイッチ１２は、マイクロスイッチ部材が検知装置１の側面よりも外側に押し出されている場合には検知装置への通電を停止し、マイクロスイッチ部材が検知装置１に押し込まれた場合には検知装置への通電を開始するように構成されている。本明細書においては、マイクロスイッチ部材が検知装置１の側面よりも外側に押し出されて検知装置への通電が停止されている状態を「オフである状態」または「オフ状態」といい、これに対してマイクロスイッチ部材が検知装置１に押し込まれて検知装置への通電が維持されている状態を「オンである状態」または「オン状態」という。
【００３４】
筒部接触スイッチ１１およびプランジャ接触スイッチ１２の構成は上述したものに限定されない。注射器２との接触／非接触に応じて注射器２との接触端部の位置変化が生じ、かかる位置変化に応じて「オン」または「オフ」のオンオフ信号を生成することができるような物理的なスイッチであれば同等の効果を得ることができる。
【００３５】
本実施形態に係る検知装置１は、それぞれが注射器２の異なる部位と接触する少なくとも２つの物理的なスイッチを備え、各スイッチが注射器２との接触／非接触に応じて生成するオンオフ信号（例えば、オンオフ信号の組合せおよびオンオフ信号の変化）と、注射器２の状態とを関連付けて処理することによって、従来技術のような複雑な検知回路を必要としないシンプルな構造によって注射器２の状態を検知することを可能としている。
【００３６】
（取付け具１８）
図１の（ｂ）に示すように、取付け具１８は、注射器２の筒部（本体）２１を把持するための把持部としてスリーブ部３０を有しており、スリーブ部３０で注射器２の筒部２１を挟み込んで保持することができる。取付け具１８のスリーブ部３０の端部にはスライドレール３３が設けられており、検知装置１の本体の注射器２と接触する側の面に設けられたスライド嵌合部（図示しない）と互いに嵌合することにより、検知装置１の本体とスリーブ部３０とがスライド可能に連結される。
【００３７】
取付け具１８は、注射器２の筒部２１と接触する部分の内の少なくとも一部に、注射器２の筒部２１の少なくとも一部と嵌合する凸部（嵌合部）３１を備えていることが好ましい。実施形態１では、注射器２の筒部２１の円周方向に設けられた２つの凹部２５と嵌合することができるように、取付け具１８には、２つの凹部２５に対応する位置に２つの凸部（嵌合部）３１が形成されている。
【００３８】
図１の（ｅ）に示すように、取付け具１８の２つの凸部３１と注射器２の筒部２１の２つの凹部２５とを嵌合させることによって、注射器２の筒部２１の長さ方向および円周方向の位置合わせをして取付け具１８に固定することができる。その結果、注射器２を検知装置１に対してより正確な位置に固定することができる。取付け具１８の凸部３１の形状および大きさは特に限定されず、適宜設定することができる。
【００３９】
取付け具１８には持ち手３２が設けられていてもよい。ユーザは、持ち手３２を指に掛けることによって検知装置１を取り付けた注射器２を容易に保持することができる。取付け具１８の形状は、注射器２の筒部（本体）２１を取り付けて保持することができる限りは特に限定されない。
【００４０】
図３は、本実施形態に係る検知装置１の要部構成を示すブロック図である。図３に示すように、検知装置１は、筒部接触スイッチ（第１のスイッチ（ＳＷ１））１１と、プランジャ接触スイッチ（第２のスイッチ（ＳＷ２））１２と、筒部接触スイッチ１１のオンオフを示す第１のオンオフ信号およびプランジャ接触スイッチ１２のオンオフを示す第２のオンオフ信号を参照して注射器の状態を検知する制御部１０と、記憶部１３と、主電源制御部１４とを備えている。
【００４１】
図３に示すように、制御部１０は、第１のスイッチ信号取得部１０１、第２のスイッチ信号取得部１０２および状態判定部１０３を備えている。制御部１０は、検知装置１を統括的に制御する。
【００４２】
第１のスイッチ信号取得部１０１は、筒部接触スイッチ１１のオンオフを示す第１のオンオフ信号を取得する。筒部接触スイッチ１１が「オン状態」の場合には、第１のオンオフ信号はオンを示す。これに対して、筒部接触スイッチ１１が「オフ状態」の場合には、第１のオンオフ信号はオフを示す。
【００４３】
第２のスイッチ信号取得部１０２は、プランジャ接触スイッチ１２のオンオフを示す第２のオンオフ信号を取得する。プランジャ接触スイッチ１２が「オン状態」の場合には、第２のオンオフ信号は「オン」を示す。これに対して、プランジャ接触スイッチ１２が「オフ状態」の場合には、第２のオンオフ信号は「オフ」を示す。
【００４４】
状態判定部１０３は、第１のスイッチ信号取得部１０１が取得した第１のオンオフ信号および第２のスイッチ信号取得部１０２が取得した第２のオンオフ信号を参照して、注射器２の状態を検知する。ここで、上記「注射器２の状態」は、注射器２の検知装置１へ装着状態、注射器２のプランジャ２２の筒方向の移動状態が意図され、例えば、注射器２が検知装置１に装着されている、注射器２のプランジャ２２が筒部２１に完全に押し込まれている（「注射器２のプランジャ２２が原点位置にある」ともいう）、注射器２のプランジャ２２が筒方向に延伸している（「注射器２のプランジャ２２が原点位置にない」ともいう）、注射器が注射完了状態に移行した等が意図される。
【００４５】
記憶部１３には、過去の（少なくとも前回の）注射完了時刻が記録されている。
【００４６】
主電源制御部１４は、検知装置１の電源（例えば、電池）から検知装置１の各部への電力供給を制御する。検知装置１は、注射器２が装着されていない場合に主電源をオフ状態とするように構成されている。これにより、検知装置１は、注射器２が装着されていない場合に電力を消費しないので、電池寿命を長くすることができる。
【００４７】
筒部接触スイッチ１１またはプランジャ接触スイッチ１２の少なくとも一方は、主電源が切断されている場合に当該主電源をオン状態にするための電源スイッチとして機能させることができる。従って、筒部接触スイッチ１１またはプランジャ接触スイッチ１２の少なくとも一方がオン状態になると、検知装置１の主電源がオン状態になり、検知装置１の電源（例えば、電池）から検知装置１の各部への電力供給が開始される。
【００４８】
（２．検知装置１の動作）
図２は、図１の（ｄ）に示した断面図において筒部接触スイッチ１１およびプランジャ接触スイッチ１２の状態を説明する図である。図２の（ａ）に示すように、検知装置１に注射器２が取り付けられていない場合は、筒部接触スイッチ１１およびプランジャ接触スイッチ１２は、共にマイクロスイッチ部材が検知装置１の側面よりも外側に押し出されている。この場合、筒部接触スイッチ１１およびプランジャ接触スイッチ１２は共に「オフ状態」である。従って、第１のオンオフ信号および第２のオンオフ信号は共に「オフ」を示す。
【００４９】
また、図２の（ｂ）に示すように、検知装置１に注射器２が取り付けられており、且つ注射器２のプランジャ２２が筒方向（図中に矢印で示す方向）に延伸している場合は、筒部接触スイッチ１１と注射器２の筒部２１とが接触するので、筒部接触スイッチ１１のマイクロスイッチ部材が検知装置１に押し込まれている（オン状態）。一方、プランジャ接触スイッチ１２は、延伸しているプランジャ２２と接触していないので、プランジャ接触スイッチ１２はマイクロスイッチ部材が検知装置１の側面よりも外側に押し出されている（オフ状態）。従って、第１のオンオフ信号は「オン」を示し、第２のオンオフ信号は「オフ」を示す。
【００５０】
また、図２の（ｃ）に示すように、検知装置１に注射器２が取り付けられており、且つ注射器２のプランジャ２２が筒部２１に完全に押し込まれている場合は、筒部接触スイッチ１１と注射器２の筒部２１とが接触し、プランジャ接触スイッチ１２とプランジャ２２とが接触するので、筒部接触スイッチ１１およびプランジャ接触スイッチ１２は、共にマイクロスイッチ部材が検知装置１に押し込まれている（オン状態）。従って、第１のオンオフ信号および第２のオンオフ信号は共に「オン」を示す。
【００５１】
ここで、例えば、注射器の針先から薬剤が確実に出ることを確認するために、実際の注射の前に少量を試し打ち（空打ち）をする場合がある。このような場合、従来技術では、注射ボタンの入力や、注射デバイスの投与量窓の数値の変化を検知して注射が行われたか否かを判定するので、試し打ちを実際の注射と誤ってカウントする可能性がある。これに対して、本実施形態に係る検知装置１は、延伸しているプランジャ２２が筒部２１に完全に押し込まれたことをもって１回の注射が完了したと判定する。このため、試し打ちによって延伸しているプランジャ２２を筒部２１に完全に押し込まない限りは、これを１回の注射が完了したと誤判定することがない。従って、本実施形態に係る検知装置１によれば、注射回数をより正確に記録することができる。
【００５２】
（３．制御部１０の動作）
図６は、本実施形態に係る検知装置１の制御部１０の動作の一例を説明するフローチャートである。
【００５３】
（ステップＳ１１）
筒部接触スイッチ１１またはプランジャ接触スイッチ１２の少なくとも一方がオン状態になり、主電源がオン状態になると、まず、第１のスイッチ信号取得部１０１は、第１のオンオフ信号を取得する。第１のスイッチ信号取得部１０１は、取得した第１のオンオフ信号を、状態判定部１０３に供給する。
【００５４】
（ステップＳ１２）
次いで、状態判定部１０３は、第１のオンオフ信号が「オン」を示している場合は、注射器２が装着されていると判定し、ステップＳ１３へと進む。一方で、状態判定部１０３は、第１のオンオフ信号が「オフ」を示している場合は、注射器２が装着されていないと判定し、ステップＳ１８へと進む。
【００５５】
（ステップＳ１３）
次いで、第２のスイッチ信号取得部１０２は、第２のオンオフ信号を取得する。第２のスイッチ信号取得部１０２は、取得した第２のオンオフ信号を、状態判定部１０３に供給する。
【００５６】
（ステップＳ１４）
次いで、状態判定部１０３は、第２のオンオフ信号が「オフ」を示している場合は、注射器２が装着され、且つプランジャ２２が原点位置に無いと判定し、ステップＳ１５へと進む。
【００５７】
一方で、状態判定部１０３は、第２のオンオフ信号が「オン」を示している場合は、注射器２が装着され、且つプランジャ２２が原点位置にあると判定し、ステップＳ１３へと戻る。尚、ステップＳ１３およびステップＳ１４は、第２のオンオフ信号が「オフ」を示すまで繰り返される。
【００５８】
（ステップＳ１５）
次いで、第２のスイッチ信号取得部１０２は、第２のオンオフ信号を取得する。第２のスイッチ信号取得部１０２は、取得した第２のオンオフ信号を、状態判定部１０３に供給する。
【００５９】
（ステップＳ１６）
次いで、状態判定部１０３は、第２のオンオフ信号が「オン」を示している場合は、第２のオンオフ信号が「オフ」から「オン」への変化を含むので、注射器が注射完了状態に移行した（注射が実行された）と判定し、ステップＳ１７へと進む。
【００６０】
一方で、状態判定部１０３は、第２のオンオフ信号が「オフ」を示している場合は、第２のオンオフ信号が「オフ」から「オン」への変化を含まないので、注射器が注射完了状態に移行していない（注射が実行されていない）と判定し、ステップＳ１５へと戻る。尚、ステップＳ１５およびステップＳ１６は、第２のオンオフ信号が「オン」を示すまで繰り返される。
【００６１】
（ステップＳ１７）
次いで、状態判定部１０３は、注射が実行された時刻情報を記憶部１３に記録し、ステップＳ１８へと進む。
【００６２】
（ステップＳ１８）
次いで、主電源制御部１４は、主電源切断処理を実行し、検知装置１の主電源がオフにされる。
【００６３】
（４．変形例）
一変形例において、記憶部１３には、下記表１に示すような筒部接触スイッチ１１のオンオフ信号（第１のオンオフ信号）およびプランジャ接触スイッチ１２のオンオフ信号（第２のオンオフ信号）の少なくともいずれかと注射器の状態との対応関係を示す対応付け情報が保存されていてもよい。
【００６４】
【表１】
2018149075.tif 000003
【００６５】
そして、状態判定部１０３は、第１のオンオフ信号および第２のオンオフ信号の少なくともいずれかと、表１に示した対応付け情報とを参照して、注射器２の状態を判定する構成とすることも可能である。
【００６６】
また、別の変形例において、検知装置１は、主電源をオン状態にするために、筒部接触スイッチ１１、プランジャ接触スイッチ１２以外の電源スイッチが設けられていてもよい。
【００６７】
また、別の変形例において、検知装置１の取付け具１８は、持ち手３２が設けられていない構成とすることも可能である。また、別の変形例において、取付け具１８は、検知装置１と一体に形成されていてもよい。
【００６８】
また、別の変形例において、取付け具１８の凸部（嵌合部）３１の個数は２つに限定されず、１つであっても、２つよりも多くてもよい（例えば、３つ、４つ等）。取付け具１８の凸部が１つ以上であれば、注射器２の筒部２１の長さ方向の位置合わせが可能となる。これに対して、取付け具１８の凸部が２つ以上であれば、注射器２の筒部２１の長さ方向および円周方向の位置合わせが可能となる。その結果、取付け具１８の凸部が１つである場合と比較して、注射器２を検知装置１に対してより正確な位置に固定することができる。
【００６９】
また、別の変形例において、制御部１０は、ステップＳ１１において、筒部接触スイッチ１１のオンオフを示す第１のオンオフ信号およびプランジャ接触スイッチ１２のオンオフを示す第２のオンオフ信号の両方を取得し、ステップＳ１２において、第１のオンオフ信号および第２のオンオフ信号の両方を参照して注射器２が装着されているか否かを判定してもよい。
【００７０】
〔実施形態２〕
以下、本発明の実施形態２に係る検知装置１ａについて、詳細に説明する。なお、説明の便宜上、前記実施形態にて説明した部材と同じ機能を有する部材については、同じ符号を付記し、その説明を省略する。
【００７１】
（１．検知装置１ａの要部構成）
本発明の実施形態２に係る検知装置１ａは、実施形態１に係る検知装置１と同様に、取付け具１８を分離することができる。検知装置１ａは取付け具１８を備えることによって、検知装置１ａを注射器２に取り付けることができる。
【００７２】
図４は、本実施形態に係る検知装置１ａの要部構成を示すブロック図である。図４に示すように、検知装置１ａが報知部１５をさらに備えている点が、実施形態１の検知装置１と異なっている。本実施形態に係る検知装置１ａをかかる構成とすることによって、検知装置１ａは、ユーザに警告等を報知することが可能となっている。図１の（ｂ）に示すように、実施形態２に係る検知装置１ａでは、報知部１５として、ＬＥＤ発光部が設けられている。
【００７３】
報知部１５は、制御部１０ａが前回の注射完了時刻を参照し、前回の注射完了から所定の注射間隔よりも短い注射間隔で注射器２が注射完了状態に移行したと判定した場合に、ユーザに警告を発する。尚、適切な注射間隔は、注射する薬剤の種類によって異なる。
【００７４】
（２．検知装置１ａの動作）
本実施形態に係る検知装置１ａは、上述したとおり、報知部１５を備えているので、制御部１０ａが前回の注射完了時刻を参照し、前回の注射完了から所定の注射間隔よりも短い注射間隔で注射器２が注射完了状態に移行したと判定した場合に、ユーザに警告を発することが可能となっている点が、実施形態１の検知装置１とは異なる。
【００７５】
また、本実施形態に係る検知装置１ａでは、筒部接触スイッチ１１のオンオフを示す第１のオンオフ信号およびプランジャ接触スイッチ１２のオンオフを示す第２のオンオフ信号の両方を取得し、ステップＳ１２において、第１のオンオフ信号および第２のオンオフ信号の両方を参照して注射器２が装着されているか否かを判定する点が、実施形態１の検知装置１とは異なる。そこで、かかる相違点の動作のみを以下に説明する。
【００７６】
（３．制御部１０ａの動作）
図７は、本実施形態に係る検知装置１ａの制御部１０ａの動作の一例を説明するフローチャートである。
【００７７】
（ステップＳ２１）
筒部接触スイッチ１１またはプランジャ接触スイッチ１２の少なくとも一方がオン状態になり、主電源がオン状態になると、まず、第１のスイッチ信号取得部１０１および第２のスイッチ信号取得部１０２は、第１のオンオフ信号および第２のオンオフ信号を取得する。第１のスイッチ信号取得部１０１および第２のスイッチ信号取得部１０２は、取得した第１のオンオフ信号および第２のオンオフ信号を、状態判定部１０３に供給する。
【００７８】
（ステップＳ２２）
次いで、状態判定部１０３は、(i)第１のオンオフ信号が「オン」を示し、且つ第２のオンオフ信号が「オン」を示している場合、および(ii)第１のオンオフ信号が「オン」を示し、且つ第２のオンオフ信号が「オフ」を示している場合は、注射器２が正常に装着されていると判定し、ステップＳ２３へと進む。
【００７９】
一方で、状態判定部１０３は、第１のオンオフ信号が「オフ」を示し、且つ第２のオンオフ信号が「オフ」を示している場合は、注射器２が装着されていないと判定し、ステップＳ１８へと進む。また、状態判定部１０３は、第１のオンオフ信号が「オフ」を示し、且つ第２のオンオフ信号が「オン」を示している場合は、注射器２が異常装着されていると判定し、この場合もステップＳ１８へと進む。
【００８０】
（ステップＳ２３）
次いで、状態判定部１０３は、第２のオンオフ信号が「オフ」を示している場合は、注射器２が装着され、且つプランジャ２２が原点位置に無いと判定し、ステップＳ１５へと進む。
【００８１】
一方で、状態判定部１０３は、第２のオンオフ信号が「オン」を示している場合は、注射器２が装着され、且つプランジャ２２が原点位置にあると判定し、ステップＳ１３へと進む。
【００８２】
（ステップＳ１３〜Ｓ１５）
ステップＳ１３〜Ｓ１５については、前記実施形態にて説明したとおりである。
【００８３】
（ステップＳ１６）
次いで、状態判定部１０３は、第２のオンオフ信号が「オン」を示している場合は、第２のオンオフ信号が「オフ」から「オン」への変化を含むので、注射器が注射完了状態に移行した（注射が実行された）と判定し、ステップＳ２４へと進む。
【００８４】
一方で、状態判定部１０３は、第２のオンオフ信号が「オフ」を示している場合は、第２のオンオフ信号が「オフ」から「オン」への変化を含まないので、注射器が注射完了状態に移行していない（注射が実行されていない）と判定し、ステップＳ１５へと戻る。尚、ステップＳ１５およびステップＳ１６は、第２のオンオフ信号が「オン」を示すまで繰り返される。
【００８５】
（ステップＳ２４）
次いで、状態判定部１０３は、記憶部１３に格納されている過去の注射完了時刻の記録の内、前回の注射完了時刻の記録を取得し、ステップＳ２５へと進む。
【００８６】
（ステップＳ２５）
次いで、状態判定部１０３は、前回の注射完了時刻を参照し、前回の注射完了から所定の注射間隔よりも短い注射間隔で注射器２が注射完了状態に移行したと判定した場合には、ステップＳ２６へと進む。
【００８７】
一方で、前回の注射完了時刻を参照し、前回の注射完了から所定の注射間隔で注射器２が注射完了状態に移行したと判定した場合には、ステップＳ１７へと進む。
【００８８】
（ステップＳ２６）
次いで、状態判定部１０３は、報知部１５のＬＥＤを点灯させて警告表示させる。
【００８９】
（ステップＳ２７）
次いで、状態判定部１０３は、報知部１５のＬＥＤを１０秒間点滅させて警告表示させる。
【００９０】
（ステップＳ２８）
次いで、状態判定部１０３は、報知部１５のＬＥＤを消灯させて警告表示を終了させて、ステップＳ１７へと進む。
【００９１】
（ステップＳ１７〜Ｓ１８）
ステップＳ１７〜Ｓ１８については、前記実施形態にて説明したとおりである。
【００９２】
（４．変形例）
一変形例において、ステップＳ２４〜Ｓ２８を、ステップＳ２２の後であって、Ｓ１５の前のどこかで行うことも可能である。
【００９３】
また、別の変形例において、ステップＳ２５において、状態判定部１０３は、前回の注射完了時刻を参照し、前回の注射完了から所定の注射間隔よりも長い注射間隔で注射器２が注射完了状態に移行したと判定した場合にも、報知部１５を介して警告を行うようにすることも可能である。
【００９４】
また、別の変形例において、ステップＳ２７において報知部１５のＬＥＤを点滅させる時間を１０秒間よりも長く設定してもよく、短く設定してもよい。
【００９５】
また、別の変形例において、報知部１５として音出力部を備え、音による報知をおこなってもよい。また、別の変形例において、報知部１５として表示部を備え、文字、図柄等による報知を行ってもよい。
【００９６】
〔実施形態３〕
以下、本発明の実施形態３に係る検知装置１ｂについて、詳細に説明する。なお、説明の便宜上、前記実施形態にて説明した部材と同じ機能を有する部材については、同じ符号を付記し、その説明を省略する。
【００９７】
（１．検知装置１ｂの要部構成）
本発明の実施形態３に係る検知装置１ｂは、実施形態１に係る検知装置１および実施形態２に係る検知装置１ａと同様に、取付け具１８を分離することができる。検知装置１ｂは取付け具１８を備えることによって、検知装置１ｂを注射器２に取り付けることができる。
【００９８】
図５は、本実施形態に係る検知装置１ｂの要部構成を示すブロック図である。図５に示すように、(i)検知装置１ｂが通信開始スイッチ（第３のスイッチ）１６、外部通信ユニット（通信部）１７および複数個の報知部１５をさらに備えている点、(ii)制御部１０ｂが第３のスイッチ信号取得部１０４をさらに備えている点が、実施形態２の検知装置１ａと異なっている。本実施形態に係る検知装置１ｂをかかる構成とすることによって、検知装置１ｂは、外部装置と通信することができる。また、外部装置との通信が確立できない場合にはユーザに警告を発することができる。また、外部装置との通信が確立できた場合にはユーザに通信中であることを報知することができる。
【００９９】
図１の（ｂ）に示すように、実施形態３に係る検知装置１ｂでは、通信開始スイッチ１６が設けられている。さらに、ユーザに異なる内容の報知を行うことができるように、２つの報知部１５ａおよび１５ｂとして、２つのＬＥＤ発光部が設けられている。２つのＬＥＤ発光部は、ＬＥＤ発光部１５ａが黄色、ＬＥＤ発光部１５ｂが青色に発光するように構成されている。尚、発光部が発する光の色の種類および色の組合せは特に限定されず、適宜設定することができる。ユニバーサルデザインの観点から、赤色と緑色との組合せ以外の色の組合せを採用することが好ましい。
【０１００】
通信開始スイッチ１６は、所定時間以上押下されると、第３のオンオフ信号を生成する。
【０１０１】
外部通信ユニット１７は、第３のオンオフ信号を受けて検知装置１ｂが外部装置との通信を開始する。
【０１０２】
報知部１５ａは、制御部１０ｂが前回の注射完了時刻を参照し、前回の注射完了から所定の注射間隔よりも短い注射間隔で注射器２が注射完了状態に移行したと判定した場合、および制御部１０ｂが外部装置との通信が確立できないと判定した場合に、ユーザに警告を発する。
【０１０３】
報知部１５ｂは、制御部１０ｂが外部装置との通信が確立できたと判定した場合に、ユーザに通信中であることを報知する。
【０１０４】
（２．検知装置１ｂの動作）
本実施形態に係る検知装置１ｂは、上述したとおり、通信開始スイッチ１６、外部通信ユニット１７および報知部１５ｂを備えているので、外部装置と通信することができ、さらに、外部装置との通信状態に関連した報知を行うことが可能となっている点が、実施形態２の検知装置１ａとは異なる。そこで、かかる相違点の動作のみを以下に説明する。
【０１０５】
（３．制御部１０ｂの動作）
図８は、本実施形態に係る検知装置１ｂの制御部１０ｂの動作の一例を説明するフローチャートである。
【０１０６】
（ステップＳ２１）
ステップＳ２１については、前記実施形態にて説明したとおりである。
【０１０７】
（ステップＳ２２）
次いで、状態判定部１０３は、(i)第１のオンオフ信号が「オン」を示し、且つ第２のオンオフ信号が「オン」を示している場合、および(ii)第１のオンオフ信号が「オン」を示し、且つ第２のオンオフ信号が「オフ」を示している場合は、注射器２が正常に装着されていると判定し、ステップＳ２３へと進む。ステップＳ２３以降の処理については、前記実施形態にて説明したとおりである。
【０１０８】
一方で、状態判定部１０３は、第１のオンオフ信号が「オフ」を示し、且つ第２のオンオフ信号が「オフ」を示している場合は、注射器２が装着されていないと判定し、ステップＳ３１へと進む。
【０１０９】
（ステップＳ３１）
第３のスイッチ信号取得部１０４は、第３のオンオフ信号を取得する。第３のスイッチ信号取得部１０４は、取得した第３のオンオフ信号を、状態判定部１０３に供給する。
【０１１０】
（ステップＳ３２）
次いで、状態判定部１０３は、第３のオンオフ信号が「オン」を示しており、且つ第３のオンオフ信号の持続時間が４秒以下であると判定した場合は、ステップＳ１８へと進む。ステップＳ１８については、前記実施形態にて説明したとおりである。
【０１１１】
一方で、状態判定部１０３は、第３のオンオフ信号が「オン」を示しており、且つ第３のオンオフ信号の持続時間が４秒間よりも長いと判定した場合は、ステップＳ３３へと進む。
【０１１２】
（ステップＳ３３）
次いで、状態判定部１０３は、外部通信ユニット１７に、外部装置との通信を開始させる。
【０１１３】
（ステップＳ３４）
次いで、状態判定部１０３は、外部通信ユニット１７から、外部装置との通信状態を取得する。
【０１１４】
（ステップＳ３５）
次いで、状態判定部１０３は、取得した外部装置との通信状態を参照し、外部通信を確立できたと判定した場合には、ステップＳ３６へと進む。
【０１１５】
一方で、取得した外部装置との通信状態を参照し、外部通信を確立できなかったと判定した場合には、ステップＳ３９へと進む。
【０１１６】
（ステップＳ３６）
次いで、状態判定部１０３は、報知部１５ｂのＬＥＤを点灯させて通信中であることを報知させる。
【０１１７】
（ステップＳ３７）
次いで、外部通信ユニット１７は、外部装置へとデータを伝送する。
【０１１８】
（ステップＳ３８）
次いで、状態判定部１０３は、報知部１５ｂのＬＥＤを消灯させて通信が終了したことを報知させて、ステップＳ１８へと進む。ステップＳ１８については、前記実施形態にて説明したとおりである。
【０１１９】
（ステップＳ３９）
次いで、状態判定部１０３は、報知部１５ａのＬＥＤを点灯させて警告表示させる。
【０１２０】
（ステップＳ４０）
次いで、状態判定部１０３は、報知部１５ａのＬＥＤを４秒間点滅させて警告表示させる。
【０１２１】
（ステップＳ４１）
次いで、状態判定部１０３は、報知部１５ａのＬＥＤを消灯させて警告表示を終了させて、ステップＳ１８へと進む。ステップＳ１８については、前記実施形態にて説明したとおりである。
【０１２２】
（４．変形例）
一変形例において、検知装置１ｂは、外部装置と有線通信するように構成されてもよい。
【０１２３】
また、別の変形例において、ステップＳ４０において報知部１５ａのＬＥＤを点滅させる時間を４秒間よりも長く設定してもよく、短く設定してもよい。
【０１２４】
また、別の変形例において、報知部１５ｂとして音出力部を備え、音による報知をおこなってもよい。また、別の変形例において、報知部１５ｂとして表示部を備え、文字、図柄等による報知を行ってもよい。
【０１２５】
〔ソフトウェアによる実現例〕
制御部１０、１０ａ、１０ｂの制御ブロック（特に第１のスイッチ信号取得部１０１、第２のスイッチ信号取得部１０２、状態判定部１０３および第３のスイッチ信号取得部１０４）は、集積回路（ＩＣチップ）等に形成された論理回路（ハードウェア）によって実現してもよいし、ＣＰＵ（Central Processing Unit）を用いてソフトウェアによって実現してもよい。
【０１２６】
後者の場合、制御部１０、１０ａ、１０ｂは、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１２７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１２８】
１      検知装置
１ａ    検知装置
１ｂ    検知装置
２      注射器
１０    制御部
１０ａ  制御部
１０ｂ  制御部
１１    筒部接触スイッチ（第１のスイッチ）
１２    プランジャ接触スイッチ（第２のスイッチ）
１３    記憶部
１４    主電源制御部
１５    ＬＥＤ発光部（報知部）
１５ａ  ＬＥＤ発光部（報知部）
１５ｂ  ＬＥＤ発光部（報知部）
１６    通信開始スイッチ（第３のスイッチ）
１７    外部通信ユニット（通信部）
２１    筒部（本体）
２２    プランジャ
２４    投与量調整ダイアル（最太部）
３１    凸部（嵌合部）
【図１】
2018149075.tif 000004
【図２】
2018149075.tif 000005
【図３】
2018149075.tif 000006
【図４】
2018149075.tif 000007
【図５】
2018149075.tif 000008
【図６】
2018149075.tif 000009
【図７】
2018149075.tif 000010
【図８】
2018149075.tif 000011